(57)【要約】      （修正有）【課題】印刷時にシリコンブランケットにその都度吸収される溶剤を加熱により放出させ、安定した印刷の耐刷力を得る。【解決手段】シリコンブランケット１５のシリコンゴム層の下層に金属板層を設けたブランケット作る。表面から磁力線を投射し金属板を発熱させゴム層の効率よい加熱を行い、ゴムに吸収された樹脂（インキ）からの溶剤を抜く。【選択図】図１
2012201110.tif 000002
【特許請求の範囲】
【請求項１】
高周波電流により磁力線を発生する磁力線発生装置を用いてブランケット胴に磁力線を照射するオフセット印刷機。
【請求項２】
磁力線に反応して発熱するシリコンブランケットをブランケット胴に貼付し、印刷中の所定のタイミングで磁力線を照射、ブランケットの加熱によりブランケット内に吸収された溶剤の一部を蒸発除去しながら印刷する事を特徴とする印刷法。
【請求項３】
磁力線に反応して発熱するシリコンブランケットとして、シリコンゴム層の下層に磁力線（２０）により発熱する金属板（８）を発熱層として入れる事を特徴とする請求項２のシリコンブランケット。
【請求項４】
発熱層の下層部に熱反射層（９）を設ける事を特徴とする請求項３のシリコンブランケト。
【発明の詳細な説明】
【技術分野】
【０００１】  オフセット印刷における印刷機、印刷法及びシリコンブランケットの構成に関するもの。
【背景技術】
【０００２】  電器部品等を作るプロセスの中で各種のパターン化技術が使用されている。廉価手法として、シリコンブランケットを用いたグラビヤオフセットや反転法（リバース法）が使われる。これらの印刷にはシリコンゴムによるシリコンブランケットが用いられている。【０００３】  シリコンブランケットは樹脂（インキ）（１２）の溶剤（１３）を吸収する性質があり、これによりインキの転移性が変化し耐刷力に限界があるなど不安定な要素を抱え対策が求められている。
【発明の開示】
【発明が解決しようとする課題】
【０００４】  シリコンゴムによって出来たシリコンブランケット（１５）を用いたオフセット印刷法においては、画像形成に持ちる樹脂（インキ）に含まれる溶剤がブランケットに吸収され蓄積する。【０００５】  この蓄積において、ブランケットにおける樹脂（インキ）の転写性が変化し印刷の継続が不可能になるという課題を抱えている。本案はこの課題を解決するために考案したものである。
【課題を解決する為の手段】
【０００６】  本案は上記課題を解決する為に考案したもので、シリコンブランケット（１５）を所定のタイミングで加熱しブランケットのシリコンゴム層（７）内に蓄積した樹脂（インキ）からの溶剤（１３）を蒸発させ必要以上の蓄積を避ける事とする。
【０００７】  この為に印刷機に加熱装置を取り付け、ブランケットには過熱装置に反応して発熱する構造とする。
加熱装置として、高周波電流を発生しヒート回路（３）部に流して回路に磁力線を発生、回路に近接する金属板等を加熱する磁力線発生装置（ＩＨ：Ｉｎｄｕｃｔｉｏｎ  Ｈｅａｔｉｎｇ装置）システムを用いる。
【０００８】    ブランケットとして磁力線に反応して発熱する金属板（８）をシリコンゴム層（７）の下層に組み込んだシリコンブランケットを用いる。
【発明の効果】
【０００９】    印刷作業中にブランケットを加熱できる為、ブランケット内のインキから吸収された溶剤量をコントロールし印刷の安定的継続的を可能とする。
【００１０】  加熱する手段として高周波による磁力線を用いブランケット内に構成されている金属板の自己発熱により直接過熱する為、又高周波の周波数を変える事により金属板の表層部のみ加熱できる為、
【００１１】発熱効果をブランケット胴の必要な表層部のみに限定する事が出来るなど、ブランケットを瞬時に過熱する事が可能となり、印刷の生産性を落とす事無く印刷の続行が可能となる。
【００１２】  又金属板（８）の下部層に熱反射層（９）を設ける事によって、下層部への熱伝導を遮断し、ブランケット胴（２１）（２）の発熱を最小限に抑える事が出来る為印刷物の寸法安定性の維持にも貢献する。
【発明を実施する為の最良の形態】
【００１３】  回転するブランケット胴の全面に磁力線を照射する為、
使用するヒート回路を銅線を一平面上に長渦巻き状にして長円形のヒート回路（２４）を持った磁力線発生装置とし、該回路の長手方向をブランケット胴の軸と平行にして近接できる位置に取り付けた印刷機を準備する。
【００１４】  磁力線に反応して発熱する素材としてステンレス板、鉄板等金属板（８）をベース基板としてシリコンゴム層（７）を塗布したシリコンブランケットを準備、ブランケット胴に貼付。
【００１５】  使用に際しては、印刷中の所定のタイミングによって該回路に高周波の電流を流し磁力線を発生、ブランケットを発熱、シリコンゴム層内の樹脂（インキ）（１２）から吸収した溶剤（１７）を所定量放出させブランケットの転写性、剥離性を安定させ印刷の安定的続行を行う。
【実施例１】
【００１６】請求項１の印刷機の例の説明を図１により行う。
ブランケット胴が固定して回転する印刷機使用の例を説明する。
版胴（１４）が圧着し、圧胴（２５）を介してシート基板（１）が圧着するブランケット胴（２）に、近接して磁力線発生装置のヒート回路（３）を固定、ブランケット胴を回転しながら磁力線を照射する構造とした印刷機を用いる。【００１７】請求項３および４のブランケットおよび請求項２の印刷法を説明する。
発熱層とする金属板（８）面にシリコンゴム層（７）を構成したシリコンブランケット（請求項３）を準備する。更に、金属板の裏面（シリコンゴム層の反対面）に熱反射層（９）を設けたブランケットを準備する（請求項４）。【００１８】  熱反射層としてポリエチレン層又はポリプロピレン層（１０）面上にＡＬ蒸着膜（１１）を施し更にポリエチレン層又はポリプロピレン層（１０）を施したシートを用いる。【００１９】  これらブランケットをブランケット胴に貼付。版胴の版面画素部に樹脂（インキ）を供給（図６−▲１▼）、該樹脂をブランケット胴に転写（図６−▲２▼）、該樹脂をシート基板に転写（図６−▲３▼）の印刷プロセスにおいて、所定のタイミングで磁力線発生装置の回路に通電しブランケットを加熱、吸収した溶剤を部分的に蒸発（図６−▲４▼）、ブランケット内の吸収溶剤の量コントロールしながら安定的な連続の印刷を行う（請求項２）。
【実施例２】
【００２０】請求項１の印刷機の例の説明を図２により行う。
ブランケット胴（２）が版定盤（６）と印刷定盤（５）面を走行（転動）して印刷する印刷機の例を説明する。
磁力線発生装置のヒート回路（３）がブランケット胴の走行域内の定位置で回路の長手方向がブランケット胴の軸と並行になるように近接して設置した印刷機を準備。【００２１】  請求項２の印刷法を説明する。
ブランケットは実施例１と同じものを使用、ブランケット胴に貼付。
ブランケット胴が転動し版定盤（６）上版面から樹脂（インキ）（１２）をブランケット（１５）面に転写、更に印刷定盤（５）面に移動し樹脂（インキ）を基板（５‘）に転写、所定のタイミングでブランケット胴をヒート回路（３）部に近接して停止回転、回路に通電しブランケット（１５）面を加熱し、吸収した溶剤を部分的に蒸発、ブランケット内の吸収溶剤の量コントロールしながら安定的な連続の印刷を行う。
【産業上の利用可能性】
【００２２】  シリコンブランケットを用いた印刷の耐刷力（安定的な印刷の続行）を上げる為に用いるもの。
【図面の簡単な説明】
【００２３】
【図１】  ブランケット胴（２）が固定され近接する位置に磁力線発生装置のヒート回路（３）部が固定されている請求項１に示す印刷機の説明の図
【図２】  ブランケット胴（２）が版定盤（６）、印刷定盤（５）面を移動する印刷機で、所定の位置に磁力線発生装置のヒート回路（３）部が固定されてブランケット胴が印刷の所定のタイミングで近接し回転しブランケット面に磁力線を照射する構造を持った請求項１に示す印刷機の説明の図
【図３】  請求項３にしめす磁力線に反応して発熱するシリコンブランケットの構造の説明の図。金属板（８）の上面にシリコンゴム層（７）を塗布している図
【図４】  請求項３に示すシリコンブランケットの下層に熱反射層（９）を設けた請求項４にしめすシルコンブランケットの図
【図５】  請求項４で使用される熱反射層（９）の構造の説明の図で、ポリエチレン層又はポリプロピレン層（１０）面上にＡＬ蒸着膜を施し更にポリエチレン層又はポリプロピレン層（１０）を施した構造の説明の図
【図６】  請求項２にしめす印刷法の原理の説明の図で、  ▲１▼版（１４）に溶剤（１３）を含んだ樹脂（インキ）（１２）を充填する図  ▲２▼面の樹脂（インキ）の一部をシリコンブランケットのシリコンゴム層（７）面に転写、溶剤が吸収される図  ▲３▼シリコンゴム層（７）面の樹脂（インキ）を基板（１８）に転写し、転写後も吸収された溶剤（１７）がブランケットに残っている説明の図  ▲４▼ブランケットを加熱し吸収された溶剤（１７）の一部を蒸発除去する説明の図
【図７】  請求項４に示す熱反射層の効果を説明する図  ▲１▼熱  反射層の無いブランケットの例で、ヒート回路（３）から出た磁力線（２０）が金属板（８）を加熱しシリコンゴム層（７）を加熱すると伴にブランケット胴（２１）に吸収される熱（２２）がある図  ▲２▼  熱反射層が有るブランケットの図で、金属板（８）の熱が熱反射層（９）で反射される熱（２３）となりブランケット胴に熱が入らずシリコンゴム層（７）の加熱効果を上げる図
【図８】  磁力線発生装置のヒート回路部（３）の説明の図で、胴軸と平行に設置する為、長円形のヒート回路（２４）に製作する説明の図
【符号の説明】  １、  シート基板  ２、ブランケット胴
３、ヒート回路    ４、版胴  ５、印刷定盤  ５‘、基板    ６、版定盤
７、シリコンゴム層    ８、金属板
９  熱反射層  １０  ポリエチレン層又はポリプロピレン層
１１、ＡＬ蒸着層    １２、樹脂（インキ）    １３、溶剤    １４、凹版
１５、シリコンブランケット    １６、ブランケットに転写した樹脂
１７、吸収された溶剤      １８、基板
１９、大気に蒸発する溶剤  ２０、磁力線    ２１ブランケット胴
２２、ブランケット胴に吸収される熱        ２３、反射される熱
２４、長円形のヒート回路      ２５、圧胴
【図１】
2012201110.tif 000003
【図２】
2012201110.tif 000004
【図３】
2012201110.tif 000005
【図４】
2012201110.tif 000006
【図５】
2012201110.tif 000007
【図６】
2012201110.tif 000008
【図７】
2012201110.tif 000009
【図８】
2012201110.tif 000010